【手続補正書】
【提出日】平成16年11月5日(2004.11.5)
【手続補正１】
【補正対象書類名】明細書
【補正対象項目名】特許請求の範囲
【補正方法】変更
【補正の内容】
【特許請求の範囲】
【請求項１】
画像形成装置に被連結装置を連結する連結機構において、被連結装置を接近又は離間する移動が可能に連結する連結手段と、上記連結手段を接近又は離間する移動が可能に保持して画像形成装置に着脱可能に取り付ける取り付け手段と、上記取り付け手段を画像形成装置の設置面の所定位置に固定する設置面固定手段と、からなることを特徴とする連結機構。
【請求項２】
請求項１に記載の連結機構において、連結手段は、連結レールとからなることを特徴とする連結機構。
【請求項３】
請求項１又は２に記載の連結機構において、連結手段は、被連結装置を着脱する着脱部材とからなることを特徴とする連結機構。
【請求項４】
請求項１、２又は３に記載の連結機構において、連結手段は、直線方向の接近又は離間の移動を案内するキャスタとからなることを特徴とする連結機構。
【請求項５】
請求項１、２、３又は４に記載の連結機構において、取り付け手段は、連結手段を直線方向の接近又は離間の移動を案内して保持する案内部材とからなることを特徴とする連結機構。
【請求項６】
請求項１、２、３、４又は５に記載の連結機構において、取り付け手段は、連結時に画像形成装置の設置面と対向する設置面対向面に配置された設置面固定手段を保持する設置面固定手段保持手段とからなることを特徴とする連結機構。
【請求項７】
請求項１、２、３、４、５、又は６に記載の連結機構において、設置面固定手段は、連結時に画像形成装置の設置面に固定する固定ユニットと、上記固定ユニットを画像形成装置の設置面の上下方向の高さに移動して高さ調整する固定ユニット移動高さ調整ユニットとからなることを特徴とする連結機構。
【請求項８】
請求項７に記載の連結機構において、固定ユニットは、固定足と、設置面接触足とからなることを特徴とする連結機構。
【請求項９】
請求項８に記載の連結機構において、固定足は、設置面接触足を嵌め込んで保持する設置面接触足保持爪とからなることを特徴とする連結機構。
【請求項１０】
被連結装置を連結して画像を形成する連結機構を具備する画像形成装置において、形成画像を被転写体に転写して形成画像を形成する画像形成手段と、画像形成手段に連結される被連結装置と、上記被連結装置を連結する請求項１、２、３、４、５、６、８、９、又は１０に記載の連結機構とからなることを特徴とする連結機構を具備する画像形成装置。
【請求項１１】
請求項１０に記載の連結機構を具備する画像形成装置において、被連結装置は、画像形成手段に被転写体を供給する被転写体供給装置とからなることを特徴とする連結機構を具備する画像形成装置。
【請求項１２】
請求項１０又は１１に記載の連結機構を具備する画像形成装置において、被連結装置は、画像形成手段で画像を形成した後の被転写体の後処理を行う被転写体後処理装置とからなることを特徴とする連結機構を具備する画像形成装置。
【請求項１３】
請求項１０、１１、又は１２に記載の連結機構を具備する画像形成装置において、連結機構は、本体の設置面に近い設置面対向面に、着脱可能に取り付けて固定したことを特徴とする連結機構を具備する画像形成装置。
【請求項１４】
請求項１０、１１、１２、又は１３に記載の連結機構を具備する画像形成装置において、連結機構の設置面固定手段３は、本体の重心位置又は重心位置近傍に配置したことを特徴とする連結機構を具備する画像形成装置。
【請求項１５】
請求項１０、１１、１２、１３、又は１４に記載の連結機構を具備する画像形成装置において、本体と被連結装置は、連結固定手段によって、連結した後に固定されることを特徴とする連結機構を具備する画像形成装置。
【手続補正２】
【補正対象書類名】明細書
【補正対象項目名】０００６
【補正方法】変更
【補正の内容】
【０００６】
請求項７の本発明は、請求項１、２、３、４、５、又は６に記載の連結機構において、設置面固定手段は、連結時に画像形成装置の設置面に固定する固定ユニットと、上記固定ユニットを画像形成装置の設置面の上下方向の高さに移動して高さ調整する固定ユニット移動高さ調整ユニットとからなる連結機構であることを主要な特徴とする。
請求項８の本発明は、請求項７に記載の連結機構において、固定ユニットは、固定足と、設置面接触足とからなる連結機構であることを主要な特徴とする。
請求項９の本発明は、請求項８に記載の連結機構において、固定足は、設置面接触足を嵌め込んで保持する設置面接触足保持爪とからなる連結機構であることを主要な特徴とする。
【手続補正３】
【補正対象書類名】明細書
【補正対象項目名】０００７
【補正方法】変更
【補正の内容】
【０００７】
請求項１０の本発明は、被連結装置を連結して画像を形成する連結機構を具備する画像形成装置において、形成画像を被転写体に転写して形成画像を形成する画像形成手段と、画像形成手段に連結される被連結装置と、上記被連結装置を連結する請求項１、２、３、４、５、６、７、８、又は９に記載の連結機構とからなる連結機構を具備する画像形成装置であることを最も主要な特徴とする。
請求項１１の本発明は、請求項１０に記載の連結機構を具備する画像形成装置において、被連結装置は、画像形成手段に被転写体を供給する被転写体供給装置とからなる連結機構を具備する画像形成装置であることを主要な特徴とする。
請求項１２の本発明は、請求項１０又は１１に記載の連結機構を具備する画像形成装置において、被連結装置は、画像形成手段で画像を形成した後の被転写体の後処理を行う被転写体後処理装置とからなる連結機構を具備する画像形成装置であることを主要な特徴とする。
【手続補正４】
【補正対象書類名】明細書
【補正対象項目名】０００８
【補正方法】変更
【補正の内容】
【０００８】
請求項１３の本発明は、請求項１０、１１、１２に記載の連結機構を具備する画像形成装置において、連結機構は、本体の設置面に近い設置面対向面に、着脱可能に取り付けて固定した連結機構を具備する画像形成装置であることを主要な特徴とする。
請求項１４の本発明は、請求項１０、１１、１２又は１３に記載の連結機構を具備する画像形成装置において、連結機構の設置面固定手段は、本体の重心位置又は重心位置近傍に配置した連結機構を具備する画像形成装置であることを主要な特徴とする。
請求項１５の本発明は、請求項１０、１１、１２、１３、又は１４に記載の連結機構を具備する画像形成装置において、本体と被連結装置は、連結固定手段によって、連結した後に固定される連結機構を具備する画像形成装置であることを主要な特徴とする。
【手続補正５】
【補正対象書類名】明細書
【補正対象項目名】００２２
【補正方法】変更
【補正の内容】
【００２２】
請求項５の発明によれば、被連結装置を接近又は離間の移動を可能に連結する連結手段を接近又は離間の移動を可能に保持して画像形成装置に着脱可能に取り付ける取り付け手段を設置面固定手段で設置面の所定位置に固定すると共に取り付け手段は連結手段を案内部材で直線方向の接近又は離間の移動を案内するようにしたので、被連結装置の接近又は離間の移動が直線動作のみに拘束されているから更に容易に直線動作が可能であり、画像形成装置と被連結装置との連結時等の画像形成装置の移動とその移動による悪影響の発生を防止して方向可変軸を中心に回動して移動することがないからより安全で部品数や手間も少なく低コストの連結機構を提供することが出来るようになった。
請求項６の発明によれば、被連結装置を接近又は離間の移動を可能に連結する連結手段を接近又は離間の移動を可能に保持して画像形成装置に着脱可能に取り付ける取り付け手段を設置面固定手段で設置面の所定位置に固定すると共に取り付け手段は連結時に画像形成装置の設置面と対向する設置面対向面に配置された設置面固定手段保持手段で設置面固定手段を保持するようにしたので、新たな余分なスペースを必要とすることなく、画像形成装置と被連結装置との連結時等の画像形成装置の移動とその移動による悪影響の発生を防止して安全で部品数や手間も少なく低コストの連結機構を提供することが出来るようになった。
請求項７の発明によれば、被連結装置を接近又は離間の移動を可能に連結する連結手段を接近又は離間の移動を可能に保持して画像形成装置に着脱可能に取り付ける取り付け手段を設置面固定手段で設置面の所定位置に固定すると共に設置面固定手段は連結時に画像形成装置の設置面に固定する固定ユニットと固定ユニットを画像形成装置の設置面の上下方向の高さに移動して高さ調整する固定ユニット移動高さ調整ユニットとからなるようにしたので、簡単な機構の設置固定手段で、画像形成装置と被連結装置との連結時等の画像形成装置の移動とその移動による悪影響の発生を防止して安全で部品数や手間も少なく低コストの連結機構を提供することが出来るようになった。
【手続補正６】
【補正対象書類名】明細書
【補正対象項目名】００２３
【補正方法】変更
【補正の内容】
【００２３】
請求項８の発明によれば、被連結装置を接近又は離間の移動を可能に連結する連結手段を接近又は離間の移動を可能に保持して画像形成装置に着脱可能に取り付ける取り付け手段を設置面固定手段で設置面の所定位置に固定すると共に設置面固定手段は連結時に画像形成装置の設置面に固定する固定足と設置面接触足とからなる固定ユニットと固定ユニットを画像形成装置の設置面の上下方向の高さに移動して高さ調整する固定ユニット移動高さ調整ユニットとからなるようにしたので、簡単な固定ユニットの機構の設置固定手段で、画像形成装置と被連結装置との連結時等の画像形成装置の移動とその移動による悪影響の発生を防止して安全で部品数や手間も少なく低コストの連結機構を提供することが出来るようになった。
請求項９の発明によれば、被連結装置を接近又は離間の移動を可能に連結する連結手段を接近又は離間の移動を可能に保持して画像形成装置に着脱可能に取り付ける取り付け手段を設置面固定手段で設置面の所定位置に固定すると共に設置面固定手段は連結時に画像形成装置の設置面に固定する固定足と設置面接触足と固定足の設置面接触足を嵌め込んで保持する設置面接触足保持爪とからなる固定ユニットと固定ユニットを画像形成装置の設置面の上下方向の高さに移動して高さ調整する固定ユニット移動高さ調整ユニットとからなるようにしたので、簡単な固定ユニットの機構の設置固定手段で、嵌め込みで簡単に組立てられ、画像形成装置と被連結装置との連結時等の画像形成装置の移動とその移動による悪影響の発生を防止して安全で部品数や手間も少なく低コストの連結機構を提供すること出来るようになった。
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】変更
【補正の内容】
【００２７】
請求項１０の発明によれば、形成画像を被転写体に転写して形成画像を形成する画像形成手段に連結される被連結装置を請求項１、２、３、４、５、６、８、９、又は１０に記載の連結機構で連結して画像を形成するようにしたので、画像形成装置と被連結装置との連結時等の画像形成装置の移動とその移動による悪影響の発生を防止して安全で部品数や手間も少なく低コストの連結機構を具備する画像形成装置を提供することが出来るようになった。
請求項１１の発明によれば、形成画像を被転写体に転写して形成画像を形成する画像形成手段に連結される被連結装置の画像形成手段に被転写体を供給する被転写体供給装置を請求項１、２、３、４、５、６、８、９、又は１０に記載の連結機構で連結して画像を形成するようにしたので、画像形成装置と被連結装置の画像形成手段に被転写体を供給する被転写体供給装置との連結時等の画像形成装置の移動とその移動による悪影響の発生を防止して安全で部品数や手間も少なく低コストの連結機構を具備する画像形成装置を提供することが出来るようになった。
【手続補正１１】
【補正対象書類名】明細書
【補正対象項目名】００２８
【補正方法】変更
【補正の内容】
【００２８】
請求項１２の発明によれば、形成画像を被転写体に転写して形成画像を形成する画像形成手段に連結される被連結装置の画像形成手段で画像を形成した後の被転写体の後処理を行う被転写体後処理装置を請求項１、２、３、４、５、６、８、９、又は１０に記載の連結機構で連結して画像を形成するようにしたので、画像形成装置と被連結装置の画像形成手段で画像を形成した後の被転写体の後処理を行う被転写体後処理装置との連結時等の画像形成装置の移動とその移動による悪影響の発生を防止して安全で部品数や手間も少なく低コストの連結機構を具備する画像形成装置を提供することが出来るようになった。
【手続補正１２】
【補正対象書類名】明細書
【補正対象項目名】００２９
【補正方法】変更
【補正の内容】
【００２９】
請求項１３の発明によれば、形成画像を被転写体に転写して形成画像を形成する画像形成手段に連結される被連結装置を請求項１、２、３、４、５、６、８、又は９に記載の連結機構で連結すると共に連結機構は本体の設置面に近い設置面対向面に着脱可能に取り付けて固定して画像を形成するようにしたので、新たな余分なスペースを必要とすることなく、画像形成装置と被連結装置との連結時等の画像形成装置の移動とその移動による悪影響の発生を防止して安全で部品数や手間も少なく低コストの連結機構を具備する画像形成装置を提供することが出来るようになった。
請求項１４の発明によれば、形成画像を被転写体に転写して形成画像を形成する画像形成手段に連結される被連結装置を請求項１、２、３、４、５、６、８、９、又は１０に記載の連結機構で連結すると共に連結機構の設置面固定手段は本体の重心位置又は重心位置近傍に配置して画像を形成するようにしたので、固定効果が高くなり、画像形成装置と被連結装置との連結時等の画像形成装置の移動とその移動による悪影響の発生を確実に防止して安全で部品数や手間も少なく低コストの連結機構を具備する画像形成装置を提供することが出来るようになった。
【手続補正１３】
【補正対象書類名】明細書
【補正対象項目名】００３０
【補正方法】変更
【補正の内容】
【００３０】
請求項１５の発明によれば、形成画像を被転写体に転写して形成画像を形成する画像形成手段に連結される被連結装置を請求項１、２、３、４、５、６、８、９、又は１０に記載の連結機構で連結すると共に本体と被連結装置は連結固定手段によって連結した後に固定して画像を形成するようにしたので、連結後の画像形成装置と被連結装置は固定され、画像形成装置と被連結装置との連結時等の画像形成装置の移動とその移動による悪影響の発生を防止して更に安全で部品数や手間も少なく低コストの連結機構を具備する画像形成装置を提供することが出来るようになった。
【手続補正１４】
【補正対象書類名】明細書
【補正対象項目名】００３１
【補正方法】削除
【補正の内容】